【手続補正書】
【提出日】平成31年2月26日(2019.2.26)
【手続補正１】
【補正対象書類名】特許請求の範囲
【補正対象項目名】全文
【補正方法】変更
【補正の内容】
【特許請求の範囲】
【請求項１】
ユーザに対して所定のサービスを提供するサービス提供システムにおいて、
前記ユーザに対して所定のサービスを提供するサーバ部と、
前記ユーザが正規のユーザか否かを判断する認証サーバ部と、
を備え、
前記サーバ部は、
前記ユーザの情報を前記認証サーバ部に提供し、前記認証サーバ部が正規のユーザであると判断した前記ユーザに対して前記所定のサービスの提供を実行するサービス提供手段と、
前記ユーザの前記サーバ部に対する動作の情報を、外部の照合装置に送信する送信手段と、
を含み、
前記認証サーバ部は、
前記ユーザの情報を前記サーバ部から受信し、前記ユーザが正規のユーザか否か判断する判断手段と、
前記外部の照合装置から、前記ユーザが正規のユーザではない指標を受信する受信手段と、
を含み、前記ユーザが正規のユーザではない指標を取得することができることを特徴とするサービス提供システム。
【請求項２】
請求項１記載のサービス提供システムにおいて、前記認証サーバ部は、さらに、
前記受信手段が受信した前記指標に基づき、前記ユーザが正規のユーザではない確率が所定の閾値以上であると判断される場合に、前記サーバ部に対して、前記ユーザに対して正規のユーザであるか否か確認する確認処理を実行する指示を出す確認指示手段、
を含み、
前記サーバ部の前記サービス提供手段は、前記確認処理を実行する指示を受信した場合に、前記ユーザに対して確認処理を実行することを特徴とするサービス提供システム。
【請求項３】
請求項２記載のサービス提供システムにおいて、
前記サービス提供手段が、前記確認処理の結果、前記ユーザが正規のユーザではないと判断した場合に、前記送信手段は、前記外部の照合装置に対して、前記ユーザが正規のユーザではない旨を送信することを特徴とするサービス提供システム。
【請求項４】
請求項１〜３のいずれか１項に記載のサービス提供システムにおいて、
前記照合装置は、ユーザの動作の情報に基づき、前記ユーザが正規のユーザではない指標を求める装置であって、
外部のサービス提供システムから、ユーザの動作の情報を受信する通信手段と、
正規のユーザではないと判断された前記ユーザの動作の情報を記録したブラックリストデータベースと、
前記受信手段が受信した前記ユーザの動作の情報と、前記ブラックリストデータベース中のデータを比較し、その近似の程度から、前記ユーザが正規のユーザではない指標を算出して送信するブラックリスト指標算出手段と、
を含むことを特徴とするサービス提供システム。
【請求項５】
請求項４記載のサービス提供システムにおいて、
前記通信手段は、前記ユーザが正規のユーザではない指標を外部に送信することを特徴とするサービス提供システム。
【請求項６】
請求項４または５記載のサービス提供システムにおいて、
前記正規のユーザでない指標は、正規のユーザではない確率であることを特徴とするサービス提供システム。
【請求項７】
請求項４から６のいずれか１項に記載のサービス提供システムにおいて、
正規の前記ユーザの動作の情報を記録したホワイトリストデータベースと、
前記受信手段が受信した前記ユーザの動作の情報が、前記ホワイトリストデータベース中のレコードに該当しないと判断された場合に、前記ブラックリストデータベースは、前記受信した前記ユーザの動作の情報を、前記ブラックリストデータベースに登録する
ことを特徴とするサービス提供システム。
【請求項８】
請求項４から７のいずれか１項に記載のサービス提供システムにおいて、
前記受信手段が、前記ユーザが正規のユーザではない旨を受信した場合に、前記ブラックリストデータベースは、前記ブラックリストデータベース中の前記ユーザの動作の情報に、ブラック確定フラグを立たせることを特徴とするサービス提供システム。
【請求項９】
請求項８記載のサービス提供システムにおいて、
前記ブラックリスト指標算出手段は、前記受信手段が受信した前記ユーザの動作の情報と、前記ブラックリスト中のレコードとを比較し、その近似の程度の高い前記ブラックリスト中のレコードの前記ブラック確定フラグが立っている場合は、前記ユーザが正規のユーザでない指標をより高く算出して送信することを特徴とするサービス提供システム。
【請求項１０】
ユーザに対して所定のサービスを提供するサーバ部と、前記ユーザが正規のユーザか否かを判断する認証サーバ部と、を備えたサービス提供システムを用いて、前記ユーザに対して所定のサービスを提供するサービス提供方法において、
前記サーバ部が、前記ユーザの情報を前記認証サーバ部に提供し、前記認証サーバ部が正規のユーザであると判断した前記ユーザに対して前記所定のサービスの提供を実行するサービス提供ステップと、
前記サーバ部が、前記ユーザの前記サーバ部に対する動作の情報を、外部の照合装置に送信する送信ステップと、
前記認証サーバ部が、前記ユーザの情報を前記サーバ部から受信し、前記ユーザが正規のユーザか否か判断する判断ステップと、
前記認証サーバ部が、前記外部の照合装置から、前記ユーザが正規のユーザではない指標を受信する受信ステップと、
を含むサービス提供方法。
【請求項１１】
請求項１０に記載のサービス提供方法において、
ユーザの動作の情報に基づき、前記ユーザが正規のユーザではない指標を求める照合装置は、
前記ユーザの動作の情報を受信する通信ステップと、
正規のユーザではないと判断された前記ユーザの動作の情報をブラックリストデータベースに記録するステップと、
前記通信ステップにおいて受信した前記ユーザの動作の情報と、前記ブラックリストデータベース中のデータを比較し、その近似の程度から、前記ユーザが正規のユーザではない指標を算出して送信するブラックリスト指標算出ステップと、
を実行することを特徴とするサービス提供方法。
【請求項１２】
コンピュータを、ユーザに対して所定のサービスを提供するサーバ部と、前記ユーザが正規のユーザか否かを判断する認証サーバ部と、を備えたサービス提供システムとして動作させるコンピュータプログラムにおいて、前記コンピュータに、
前記サーバ部として、前記ユーザの情報を前記認証サーバ部に提供し、前記認証サーバ部が正規のユーザであると判断した前記ユーザに対して前記所定のサービスの提供を実行するサービス提供手順と、前記サーバ部として、前記ユーザの前記サーバ部に対する動作の情報を、外部の照合装置に送信する送信手順と、
前記認証サーバ部として、前記ユーザの情報を前記サーバ部から受信し、前記ユーザが正規のユーザか否か判断する判断手順と、
前記認証サーバ部として、前記外部の照合装置から、前記ユーザが正規のユーザではない指標を受信する受信手順と、
を実行させることを特徴とするコンピュータプログラム。
【請求項１３】
請求項１２に記載のコンピュータプログラムにおいて、
コンピュータを、ユーザの動作の情報に基づき、前記ユーザが正規のユーザではない指標を求める照合装置として動作させるコンピュータプログラムにおいて、前記コンピュータに、
前記ユーザの動作の情報を受信する通信手順と、
正規のユーザではないと判断された前記ユーザの動作の情報をブラックリストデータベースに記録する手順と、
前記通信手順において受信した前記ユーザの動作の情報と、前記ブラックリストデータベース中のデータを比較し、その近似の程度から、前記ユーザが正規のユーザではない指標を算出して送信するブラックリスト指標算出手順と、
を実行させることを特徴とするコンピュータプログラム。